(57)【要約】【課題】分娩や手術の際に邪魔にならず、妊産婦が安全かつ快適に待機可能な医療台を提供する。【解決手段】床上に配置されるベースと、このベースの上部に取り付けられ、対象者の背部を支える背板面を有する背板部と、この背板部の前記背板面に連続するマット面を有し、前記背板部の長手方向に沿う少なくとも一方の側部に対して着脱可能であるサイドサポート板と、前記背板部に対する前記サイドサポート板の着脱機構部と、前記背板部の前記背板面に対する前記マット面の取付角度を変更可能であるとともに任意の前記取付角度での前記マット面の固定が可能な角度変更機構部とを備える医療台。【選択図】図２
2015217153.tif 000002
【特許請求の範囲】
【請求項１】
床上に配置されるベースと、
このベースの上部に取り付けられ、対象者の背部を支える背板面を有する背板部と、
この背板部の前記背板面に連続するマット面を有し、前記背板部の長手方向に沿う両側部の少なくとも一方に対して着脱可能であるサイドサポート板と、
前記背板部に対する前記サイドサポート板の着脱機構部と、
前記背板部の前記背板面に対する前記マット面の取付角度を変更可能であるとともに任意の前記取付角度での前記マット面の固定が可能な角度変更機構部と
を備えることを特徴とする医療台。
【請求項２】
前記着脱機構部は、
前記背板部の前記側部に前記長手方向に沿って互いに離間して配置固定され、それぞれ前記長手方向に略直交する方向に延びる第１係止軸および第２係止軸と、
前記サイドサポート板に備えられ、前記長手方向に延びる固定フレーム部と、
この固定フレーム部に、前記長手方向に沿って互いに離間して配置固定され、前記長手方向に略平行な一方向に向かって開放し前記第１係止軸に係合する第１係止溝を有する第１取付金具、および前記第１係止溝と同方向に向かって開放し前記第２係止軸に係合する第２係止溝を有する第２取付金具と、
前記第１係止溝に係合した前記第１係止軸を係合状態に保持する固定状態と、前記第１係止溝に対する前記第１係止軸の移動を許容する固定解除状態とに切換可能なロック部材と
で構成されることを特徴とする請求項１に記載の医療台。
【請求項３】
前記角度変更機構部は、前記背板部に取り付けられる固定構造部と、この固定構造部に対して回動可能な回動構造部とで構成され、
前記回動構造部は、
前記マット面を備え、前記長手方向に略平行に延びる回動フレーム支持軸によって回動可能に支持される回動フレーム部と、
前記回動フレーム支持軸の両端部においてそれぞれ前記回動フレーム部に固定され、前記回動フレーム支持軸を中心として前記回動フレーム部と一体に回動可能であり、前記回動フレーム支持軸の軸線に平行なカム面を有する一対のカム部材と
で構成され、
前記固定構造部は、
前記着脱機構部によって前記背板部に取り付けられる固定フレーム部と、
この固定フレーム部に取り付けられた前記回動フレーム支持軸と、
前記固定フレーム部に取り付けられ、前記長手方向に平行に延び、各前記カム部材の前記カム面が外周面に当接されるロック軸と
で構成され、
前記カム部材の前記カム面には、前記マット面が所定の前記取付角度となる回動位置において前記ロック軸を係止させる係止面が複数設けられていることを特徴とする請求項１または２に記載の医療台。
【請求項４】
前記ロック軸は、前記カム面に当接する各端部が前記ロック軸の軸線方向に沿って突没自在に設けられ、これらの端部が突出状態においていずれかの前記係止面に係止して前記マット面を所定の前記取付角度に固定するとともに、没入状態において前記カム面から離脱して前記マット面を回動可能な状態とすることを特徴とする請求項３に記載の医療台。
【発明の詳細な説明】
【技術分野】
【０００１】
本発明は、産科・婦人科における医療行為に用いられる検診台、分娩台などの医療台に関する。
【背景技術】
【０００２】
従来、産科・婦人科において、分娩、診察、治療等の際に患者や妊産婦など対象者の体を支える医療台が用いられている。医療台は、対象者の胴体を支持する背板（背もたれ）、腰を支持する胴受（座面・腰板）、脚を支持する支脚器（踵受、股受）等を備え、これらの角度や位置を必要に応じて変更できる構成により、対象者の姿勢を安定して保つことを可能にしている。
【０００３】
また近年、このような医療台上で、分娩直後に産婦が新生児を直接抱く、いわゆるカンガルーケアが行われる場合がある。カンガルーケアは、母子の心身に好影響を与えるとされている。
【０００４】
特許文献１には、背もたれの両側に着脱自在に取り付けられるサイドフェンスを備える分娩台が開示されている。
【先行技術文献】
【特許文献】
【０００５】
【特許文献１】特開２０１１−１６１０７５号公報
【発明の概要】
【発明が解決しようとする課題】
【０００６】
一般に、手術台と分娩台とを兼用する医療台は、医師などによる手技を行いやすいように、通常の病室等に設置されるベッドと比較してマットレス幅が狭くなっている。しかしながら、このような医療台には、分娩台として分娩時の手技や手術時などの対応が容易であることに加えて、陣痛時や回復時に妊産婦が台上で待機する際などにおける安全性、快適性も望まれる。また、分娩直後のカンガルーケアにおける安全性も求められる。
【０００７】
本発明は、このような事情に鑑みてなされたもので、分娩や手術の際に邪魔にならず、妊産婦が安全かつ快適に待機可能な医療台を提供することを目的とする。
【課題を解決するための手段】
【０００８】
本発明は、床上に配置されるベースと、このベースの上部に取り付けられ、対象者の背部を支える背板面を有する背板部と、この背板部の前記背板面に連続するマット面を有し、前記背板部の長手方向に沿う少なくとも一方の側部に対して着脱可能であるサイドサポート板と、前記背板部に対する前記サイドサポート板の着脱機構部と、前記背板部の前記背板面に対する前記マット面の取付角度を変更可能であるとともに任意の前記取付角度での前記マット面の固定が可能な角度変更機構部とを備える医療台である。
【０００９】
この医療台によれば、サイドサポート板が着脱自在に設けられ、背板部の背板面に対してマット面が所定の取付角度をなすように固定可能であるので、例えば背板面に対してマット面が略垂直をなすように固定すれば、対象者が背板部から落下するのを防止することができる。背板面に対してマット面が例えば４５°程度をなすように傾斜させて固定すれば、対象者への圧迫感を解消しつつ背板部から落下するのを防止したり、産婦に新生児を安定して抱かせたりことができる。また背板面に対してマット面が略平行をなすように固定すれば、背板面の狭さを補う補助として、背板面を拡大して快適性を向上させたり、血管確保等の処置をしやすくしたりすることができる。また、サイドサポート板を取り外せば、分娩時の手技や手術時などに邪魔にならず、対応が容易である。
【００１０】
この医療台において、前記着脱機構部は、前記背板部の前記側部に前記長手方向に沿って互いに離間して配置固定され、それぞれ前記長手方向に略直交する方向に延びる第１係止軸および第２係止軸と、前記サイドサポート板に備えられ、前記長手方向に延びる固定フレーム部と、この固定フレーム部に、前記長手方向に沿って互いに離間して配置固定され、前記長手方向に略平行な一方向に向かって開放し前記第１係止軸に係合する第１係止溝を有する第１取付金具、および前記第１係止溝と同方向に向かって開放し前記第２係止軸に係合する第２係止溝を有する第２取付金具と、前記第１係止溝に係合した前記第１係止軸を係合状態に保持する固定状態と、前記第１係止溝に対する前記第１係止軸の移動を許容する固定解除状態とに切換可能なロック部材とで構成されることが好ましい。
【００１１】
この場合、第１係止軸および第２係止軸に対して第１取付金具の第１係止溝および第２取付金具の第２係止溝を溝の開放方向に沿ってスライドさせることにより係合または解除が可能であり、サイドサポート板を容易に着脱することができる。また、ロック部材が第１係止軸の移動を固定することにより、背板部に対してサイドサポート板を確実に固定することができる。
【００１２】
また、この医療台において、前記角度変更機構部は、前記背板部に取り付けられる固定構造部と、この固定構造部に対して回動可能な回動構造部とで構成され、前記回動構造部は、前記マット面を備え、前記長手方向に略平行に延びる回動フレーム支持軸によって回動可能に支持される回動フレーム部と、前記回動フレーム支持軸の両端部においてそれぞれ前記回動フレーム部に固定され、前記回動フレーム支持軸を中心として前記回動フレーム部と一体に回動可能であり、前記回動フレーム支持軸の軸線に平行なカム面を有する一対のカム部材とで構成され、前記固定構造部は、前記着脱機構部によって前記背板部に取り付けられる固定フレーム部と、この固定フレーム部に取り付けられた前記回動フレーム支持軸と、前記固定フレーム部に取り付けられ、前記長手方向に平行に延び、各前記カム部材の前記カム面が外周面に当接されるロック軸とで構成され、前記カム部材の前記カム面には、前記マット面が所定の前記取付角度となる回動位置において前記ロック軸を係止させる係止面が複数設けられていることが好ましい。
【００１３】
この場合、角度変更機構部により、回動フレーム支持軸を中心として回動フレーム部を回動させることができるとともに、マット面が所定の取付角度となるようにサイドサポート板を固定することができる。
【００１４】
また、この医療台において、前記ロック軸は、前記カム面に当接する各端部が前記ロック軸の軸線方向に沿って突没自在に設けられ、これらの端部が突出状態においていずれかの前記係止面に係止して前記マット面を所定の前記取付角度に固定するとともに、没入状態において前記カム面から離脱して前記マット面を回動可能な状態としてもよい。この場合、例えばロック軸の軸線方向に沿って伸縮するバネにより結合された２本のロッドなどによりロック軸の形成が可能である。
【発明の効果】
【００１５】
本発明の医療台によれば、分娩や手術の際に邪魔にならず、妊産婦が安全かつ快適に待機可能な医療台を提供することができる。
【図面の簡単な説明】
【００１６】
【図１】本発明に係る医療台であって、背板面に対してマット面が略平行となるようにサイドサポート板を固定した状態を示す斜視図である。
【図２】本発明に係る医療台であって、背板面に対してマット面が約４５°をなすようにサイドサポート板を傾斜させた中間位置に固定した状態を示す斜視図である。
【図３】本発明に係る医療台であって、背板面に対してマット面が略垂直となるようにサイドサポート板を固定した状態を示す斜視図である。
【図４】本発明に係る医療台であって、サイドサポート板を背板部から取り外した状態を示す斜視図である。
【図５】本発明に係る医療台のサイドサポート板を分解した状態を示す斜視図である。
【図６】本発明に係る医療台のサイドサポート板の構造を示す部分断面図である。
【図７】本発明に係る医療台の着脱機構部において、ロック部材によって第１係止軸と第１係止溝との係合の固定状態を示す、図６におけるＡ部を拡大した部分断面図である。
【図８】本発明に係る医療台の着脱機構部において、ロック部材による第１係止軸と第１係止溝との係合の固定解除状態の第１取付金具近傍を示す、図６におけるＡ部を拡大した部分断面図である。
【図９】本発明に係る医療台の着脱機構部において、第２係止軸と第２係止溝とが係合した状態の第２取付金具近傍を示す、図６におけるＢ部を拡大した部分断面図である。
【図１０】本発明に係る医療台において、マット面の取付角度を変更するための角度変更機構部を示す、図６におけるＣ−Ｃ線に沿う部分断面矢視図である。
【図１１】本発明に係る医療台において、マット面の取付角度を変更するための角度変更機構部を示す、図６におけるＣ−Ｃ線に沿う部分断面矢視図である。
【図１２】本発明に係る医療台において、マット面の取付角度を変更するための角度変更機構部を示す、図６におけるＣ−Ｃ線に沿う部分断面矢視図である。
【発明を実施するための形態】
【００１７】
以下、本発明の医療台に係る実施形態について説明する。本実施形態の医療台１０は、図１〜図４に示すように、床上に配置されるベース２０と、このベース２０の上部に取り付けられ、妊産婦などの対象者の背部を支える背板面３０ａを有する背板部３０と、この背板部３０の背板面３０ａに連続するマット面４１ａを有し、背板部３０の長手方向Ｘに沿う両側部３１の少なくとも一方に対して着脱可能であるサイドサポート板４０と、背板部３０に対するサイドサポート板４０の着脱機構部１００と、背板部３０の背板面３０ａに対するマット面４１ａの取付角度を変更可能であるとともに任意の取付角度でのマット面４１ａの固定が可能な角度変更機構部１１０とを備える。
【００１８】
また、ベース２０上にはさらに、背板部３０に隣接して対象者の臀部を支える腰板２１と、この腰板２１に隣接して対象者の脚部を支える補助台２２とが取り付けられており、必要に応じて背板面３０ａの傾斜角度や高さを変更することができる。さらに、例えば、対象者の左右の脚を開脚状態でそれぞれ支持する左右一対の支脚器（図示せず）が腰板２１の両側部に取り付けられる場合もある。
【００１９】
さらにこの医療台１０は、背板部３０の両側部３１の少なくとも一方に、着脱機構部１００によってサイドサポート板４０を装着可能であるとともに、角度変更機構部１１０によって背板面３０ａに対するマット面４１ａの取付角度を変更して固定することが可能である。図１〜図３にサイドサポート板４０が装着された各状態の医療台１０、図４にサイドサポート板４０が取り外された状態の医療台１０を示す。
【００２０】
図１に示すように、背板面３０ａとマット面４１ａとが略平行で平らに連続する取付角度でマット面４１ａが固定されている状態では、背板面３０ａの狭さを補う部分としてマット面４１ａを使用でき、また血管確保などの処置をしやすくすることなどもできる。
【００２１】
図２に示すように、背板面３０ａとマット面４１ａとが例えば略４５°をなす取付角度でマット面４１ａが傾斜した中間位置に固定されている状態では、対象者への圧迫感を解消しつつ、背板部３０からの落下を防止することができる。
【００２２】
図３に示すように、背板面３０ａとマット面４１ａとが略垂直をなす取付角度でマット面４１ａが固定されている状態では、対象者が背板面３０ａから落下するのを確実に防止することができる。
【００２３】
図４に示すように、サイドサポート板４０が背板部３０から取り外された状態では、分娩時の手技や手術時などに邪魔にならず、対応が容易である。
【００２４】
次に、この医療台１０においてサイドサポート板４０に関する構成について、より具体的に説明する。背板部３０に装着されるサイドサポート板４０は、図５および図６に示すように、長手方向Ｘに延びる固定フレーム部５０と、固定フレーム部５０に対して回動可能に支持された回動フレーム部６０と、回動フレーム部６０に取り付けられるマット本体４１とを備え、背板部３０の側部３１に対して固定フレーム部５０が着脱機構部１００により着脱可能となっている。
【００２５】
着脱機構部１００は、背板部３０の側部３１に長手方向Ｘに沿って互いに離間して配置固定され、それぞれ長手方向Ｘに略直交する方向に延びる第１係止軸１０１および第２係止軸１０２（図４参照）と、これら第１係止軸１０１および第２係止軸１０２に固定されて支持されることにより背板部３０の側部３１に固定されたレール部１０３（図４参照）と、サイドサポート板４０に備えられた固定フレーム部５０（図５，６参照）と、この固定フレーム部５０に固定された第１取付金具５１および第２取付金具５２（図５〜図９参照）と、背板部３０に対するサイドサポート板４０の装着を固定状態と固定解除状態とに切り替えるロック部材５３（図６〜図８参照）とで構成される。
【００２６】
第１取付金具５１と第２取付金具５２とは、長手方向Ｘに沿って離間して配置され、固定フレーム部５０の両端部近傍に固定されている。第１取付金具５１には、長手方向Ｘに略平行な一方向に向かって開放し第１係止軸１０１に係合する第１係止溝５１ａが形成されている（図７、図８）。第２取付金具５２には、第１係止溝５１ａと同方向に向かって開放し第２係止軸１０２に係合する第２係止溝５２ａが形成されている（図９）。
【００２７】
この着脱機構部１００において、第１取付金具５１の第１係止溝５１ａと第１係止軸１０１との係脱、および第２取付金具５２の第２係止溝５２ａと第２係止軸１０２との係脱は、第１係止溝５１ａおよび第２係止溝５２ａの開放方向（すなわち長手方向Ｘ）に沿って、サイドサポート板４０をスライドさせることにより行われる。
【００２８】
ロック部材５３は、第１取付金具５１に対して軸部材５３ａを中心として回転可能に取り付けられており、板バネ５３ｂによって図７および図８に示すように右回りに回転付勢されている。これによりロック部材５３は、第１係止溝５１ａ内に第１係止軸１０１をスライド挿入する際、図８に二点鎖線で示すように第１係止軸１０１によって押されて板バネ５３ｂの付勢力に反して回転して固定解除状態となり、第１係止軸１０１の挿入を妨げずに第１係止溝５１ａ内に移動させることができる。そして、第１係止溝５１ａ内に第１係止軸１０１が挿入された状態では、ロック部材５３は板バネ５３ｂによって付勢されて回転してこれらの係合状態を保持する固定状態となり（図７）、サイドサポート板４０が背板部３０に対して確実に取り付けられる。
【００２９】
さらに、サイドサポート板４０を背板部３０から取り外す際は、ロック部材５３の押圧面５３ｃを押して、板バネ５３ｂの付勢力に反して軸部材５３ｂを中心としてロック部材５３を図の左回りに回転させることにより、ロック部材５３による第１係止軸１０１の固定が解除されて固定解除状態となり、第１係止溝５１ａから第１係止軸１０１を抜き出すことが可能になる（図８）。
【００３０】
このような第１取付金具５１における第１係止溝５１ａと第１係止軸１０１との係脱と同時に、固定フレーム部５０の他端部に取り付けられた第２取付金具５２においても、第２係止溝５２ａと第２係止軸１０２との係脱が行われる。第２取付金具５２は、図９に示すように、第１係止溝５１ａと同方向に向かって開放し第２係止軸１０２に係合する第２係止溝５２ａを有し、この第２係止溝５２ａ内に第２係止軸１０２を係合させることができ、すなわち固定フレーム部５０の端部を第２係止軸１０２に支持させることができる。これによりサイドサポート板４０は、固定フレーム部５０の両端部が支持された状態で、背板部３０に装着される。
【００３１】
このように着脱機構部１００によって背板部３０の側部３１に装着されたサイドサポート板４０において、マット本体４１のマット面４１ａは、角度変更機構部１１０によって背板面３０ａに対する角度が変更可能である。角度変更機構部１１０は、背板部３０に取り付けられる固定構造部７０と、固定構造部７０に対して回動可能な回動構造部８０とで構成される。
【００３２】
角度変更機構部１１０の回動構造部８０は、長手方向Ｘに略平行な回動フレーム支持軸８１によって回動可能に支持される回動フレーム部６０と、回動フレーム部６０の両端部においてそれぞれ回動フレーム部６０に固定されて一体に回動可能であり、回動フレーム支持軸８１の軸線に平行なカム面８３を有する一対のカム部材８２とで構成される。
【００３３】
回動フレーム部６０は、図５および図６に示すように、回動フレーム支持軸８１に支持されたＤ字状の枠体６１と、この枠体６１を挟むように取り付けられるマット本体４１およびフレームカバー４２とを備えている。マット本体４１とフレームカバー４２とは、それぞれ対向する面に固定された面ファスナー４３によって互いに固定されることにより、枠体６１に対して着脱自在に取り付けられる。なお、これらマット本体４１およびフレームカバー４２は、一体に形成されていてもよく、また枠体６１に対して固定し着脱しない構造としてもよい。
【００３４】
角度変更機構部１１０の固定構造部７０は、着脱機構部１００によって背板部３０に取り付けられる固定フレーム部５０と、この固定フレーム部５０に取り付けられた回動フレーム支持軸８１と、固定フレーム部５０に取り付けられ、長手方向Ｘに平行（すなわち回動フレーム支持軸８１に平行）に延び、各カム部材８２のカム面８３が外周面に当接されるロック軸７１とで構成される。各カム部材８２のカム面８３には、マット面４１ａが所定の取付角度となる回動位置においてロック軸７１を係止させる複数の係止面（第１係止面８３ａ、第２係止面８３ｂ、第３係止面８３ｃ）が設けられている（図１０〜図１２）。
【００３５】
なお、固定フレーム部５０は、前述した着脱機構部１００においては背板部３０に対してサイドサポート板４０を取り付けるための構造として機能し、この角度変更機構部１１０においては回動フレーム部６０を回動可能に支持する構造として機能する。
【００３６】
固定フレーム部５０は、図６に示すように、長手方向Ｘに沿って延びる断面コ字状のボトムプレート５４Ａおよびカバープレート５４Ｂを互いに組み合わせて固定されることにより内部に空間が設けられているプレート部５４と、プレート部５４の両端部に固定された第１取付金具５１および第２取付金具５２とを備えている。これら第１取付金具５１および第２取付金具５２に、回動フレーム支持軸８１が固定されている。
【００３７】
回動フレーム部６０を支持する構造として、固定フレーム部５０の各端部に取り付けられた第１取付金具５１および第２取付金具５２には、図７および図９に示すように、ロック軸７１を回動自在に支持する軸受７１ｂおよび回動フレーム支持軸８１がそれぞれ固定されている。
【００３８】
ロック軸７１は、図６に示すように、固定フレーム部５０のプレート部５４の内部に収められ、ロック軸７１の軸線方向に沿って伸縮可能に組み合わされた２本のロッド７２と、これらロッド７２間に配置されロック軸７１の軸線方向に沿って各ロッド７２同士を互いに離間させるように圧縮されたコイルバネ７３とを備え、各ロッド７２に固定されたグリップ７４を離間あるいは図に二点鎖線で示すように接近させることにより、ロック軸７１の全長を変化させ、両端部７１ａをロック軸７１の軸線方向に突出あるいは没入させることができる。図６において、ロック軸７１の両端部７１ａが突出した状態を実線で、両端部７１ａが没入した状態を二点鎖線で示す。
【００３９】
また、ロック軸７１の端部７１ａには、図６〜図９に示すように、各カム部材８２のカム面８３に当接しない細径部７１ｃと、この細径部７１ｃよりも大径で先端側が最も細いテーパ状のテーパ部７１ｄとが設けられている。
【００４０】
第１取付金具５１および第２取付金具５２のそれぞれに固定された回動フレーム支持軸８１には、図７〜図９に示すように、軸受８１ａを介して各カム部材８２が回動自在に取り付けられている。これらのカム部材８２には回動フレーム部６０が固定されており、カム部材８２の角度が固定されることによって、回動フレーム部６０が所定の取付角度で固定される。各カム部材８２の角度は、カム部材８２の回転位置に応じて、第１取付金具５１に固定された水平時固定プレート７５Ａまたはロック軸７１の端部７１ａ（テーパ部７１ｄ）がカム面８３に当接することにより固定される。
【００４１】
つまり、ロック軸７１は、カム面８３に当接する各端部７１ａがロック軸７１の軸線方向に沿って突没自在に設けられ、これらの端部７１ａが突出状態においてカム面８３の第２係止面８３ｂまたは第３係止面８３ｃのいずれかに係止してカム部材８２すなわちマット面４１ａ（回動フレーム部６０）を所定の取付角度に固定するとともに、グリップ７４の操作による没入状態においてカム面８３の第２係止面８３ｂまたは第３係止面８３ｃから離脱してマット面４１ａ（回動フレーム部６０）を回動可能な状態とする。
【００４２】
まず、マット面４１ａが背板面３１ａに対して略水平となるように回動フレーム部６０を固定するには、各グリップ７４を互いに引き寄せることによりロック軸７１の全長を短縮させて端部７１ａを没入状態としてカム部材８２とロック軸７１との係合状態を解除し、回動フレーム部６０を回転させる。これにより、図１０に示すように、カム面８３の第１係止面８３ａが水平時固定プレート７５Ａに当接して、回動フレーム部６０の角度が保持される。このときロック軸７１の端部７１ａは、テーパ部７１ｄの軸線方向端面がカム部材８２の側面に当接することにより没入した状態で固定されており、細径部７１ｃはカム面８３に当接していない。
【００４３】
次いで、マット面４１ａが背板面３１ａに対して傾斜するように略水平状態から回動フレーム部６０を回転させると、図１１に示すように、ロック軸７１のテーパ部７１ｄとカム部材８２の第２係止面８３ｂとが係合し、この位置でカム部材８２の回転が停止され、マット面４１ａが傾斜した状態で保持される。このとき、ロック軸７１はコイルバネ７３によって伸張するように付勢されているので、カム面８３が所定角度に回転されるとカム部材８２の側面による規制が解除され、第２係止面８３ｂに対してテーパ部７１ｄが係合するまで端部７１ａが突出する。したがって、マット面４１ａを略水平状態から傾斜状態（中間位置）に移行させる際には、グリップ７４を操作する必要はない。
【００４４】
さらに、マット面４１ａが背板面３１ａに対して略直角とする際は、各グリップ７４を互いに引き寄せてロック軸７１の端部７１ａを没入させ、カム部材８２とロック軸７１との係合状態を解除して回動フレーム部６０を回転させ、図１２に示すように、カム部材８２の第３係止面８３ｃとロック軸７１の端部７１ａ（テーパ部７１ｄ）を係合させることにより、回動フレーム部６０の角度を保持させる。
【００４５】
以上説明したように、本発明の医療台によれば、サイドサポート板が背板部に対して着脱自在であるとともに、背板部の背板面に対してマット面が所定の取付角度をなすように固定可能であるので、分娩時や手術時などにはサイドサポート板を取り外すことにより医師や処置者が妊産婦に近づくことができ、妊産婦が台上で待機する際などにはサイドサポート板を装着することにより背板部の面積を拡大することができ、さらに背板部の背板面に対するサイドサポート板のマット面の角度を変更することにより、圧迫感を抑えながら妊産婦の落下を防止することなどが可能である。
【００４６】
なお、本発明は前記実施形態の構成のものに限定されるものではなく、細部構成においては、本発明の趣旨を逸脱しない範囲において種々の変更を加えることが可能である。例えば、前記実施形態では背板面に対するマット面の角度を略水平（平行）、約４５°、略垂直の３段階に固定可能としたが、傾斜状態（中間位置）のマット面の角度は４５°に限定される必要はなく、カム部材においてカム面の係止面の形成角度を変更することにより、任意の角度に設定することができる。
【符号の説明】
【００４７】
１０  医療台
２０  ベース
２１  腰板
２２  補助台
３０  背板部
３０ａ  背板面
３１  側部
４０  サイドサポート板
４１  マット本体
４１ａ  マット面
４２  フレームカバー
４３  面ファスナー
５０  固定フレーム部
５１  第１取付金具
５１ａ  第１係止溝
５２  第２取付金具
５２ａ  第２係止溝
５３  ロック部材
５３ａ  軸部材
５３ｂ  板バネ
５３ｃ  押圧面
５４  プレート部
５４Ａ  ボトムプレート
５４Ｂ  カバープレート
６０  回動フレーム部
６１  枠体
７０  固定構造部
７１  ロック軸
７１ａ  端部
７１ｂ  軸受
７１ｃ  細径部
７１ｄ  テーパ部
７２  ロッド
７３  コイルバネ
７４  グリップ
７５Ａ  水平時固定プレート
８０  回動構造部
８１  回動フレーム支持軸
８１ａ  軸受
８２  カム部材
８３  カム面
８３ａ  第１係止面
８３ｂ  第２係止面
８３ｃ  第３係止面
１００  着脱機構部
１０１  第１係止軸
１０２  第２係止軸
１０３  レール部
１１０  角度変更機構部
Ｘ  長手方向
【図１】
2015217153.tif 000003
【図２】
2015217153.tif 000004
【図３】
2015217153.tif 000005
【図４】
2015217153.tif 000006
【図５】
2015217153.tif 000007
【図６】
2015217153.tif 000008
【図７】
2015217153.tif 000009
【図８】
2015217153.tif 000010
【図９】
2015217153.tif 000011
【図１０】
2015217153.tif 000012
【図１１】
2015217153.tif 000013
【図１２】
2015217153.tif 000014